(57)【特許請求の範囲】
【請求項１】
洗浄槽と、食器を収納する食器かごと、洗浄水を噴射する洗浄ノズルと、モータの回転により洗浄水を加圧するポンプと、前記モータの正逆反転駆動を制御する制御手段とを有し、前記モータの回転軸を略鉛直方向に設けるとともに、前記ポンプは、第１のインペラにより洗浄ノズルに洗浄水を吐出する第１のケーシングと、前記第１のケーシングの下方に設けられた渦流型の第２のインペラにより機外に洗浄水を排出する第２のケーシングと、前記第１のケーシングと第２のケーシングと洗浄槽とに連通し、かつ、前記第１のケーシングと第２のケーシングの間に設けられた洗浄水案内部と、前記渦流型の第２のインペラの前記洗浄水案内部側に設けた遠心型の第３のインペラとを備え、前記洗浄水案内部から前記第１のインペラまたは第３のインペラへの吸い込み口をそれぞれモータの回転軸の同心円上に設けるとともに、前記第２のケーシングに洗浄水案内部と連通する穴を設け、前記第３のインペラにより前記第２のケーシングに吐出した洗浄水の一部を前記洗浄水案内部へ戻すようにした食器洗浄機。
【請求項２】
第２のインペラに形成した渦流型の羽根より内側に前記第３のインペラ側に連通する穴を設け、前記第２のインペラの中心部に洗浄水の流れを発生させるようにした請求項１記載の食器洗浄機。
【発明の詳細な説明】
【０００１】
【発明の属する技術分野】
本発明は洗浄水の噴射により洗浄を行う食器洗浄機に関するものである。
【０００２】
【従来の技術】
以下に従来の食器洗浄機について、図８に基づいて説明する。食器を洗浄槽５１の食器かご５２に収納し、洗剤を投入して運転を開始する。運転が開始されると、まず所定量の洗浄水を洗浄槽５１に供給する給水工程が実行される。続いて、洗浄ポンプ５３によって加圧され且つヒータ５４によって加熱された洗浄水が洗剤と共に洗浄ノズル５５から噴射される本洗工程が行われる。洗浄水は洗浄ノズル５５の噴射口５６ａ〜５６ｆから鉛直方向または斜め上方向に噴射される。また洗浄ノズル５５はこの噴射反力によって略水平に回転する。
【０００３】
従って、洗浄水の多くは洗浄ノズル５５の回転方向とは逆方向に傾斜して噴射されて、食器に衝突する。この洗浄水の衝突力・洗剤・熱等の作用によって、食器は洗浄されるものである。
【０００４】
所定時間の本洗工程を経ると、次に食器等から洗い落とされた汚れを含む洗浄水を排水ポンプ５７によって機外に排出する排水工程に入る。引き続いて、新たに洗浄水を供給する給水工程と、洗剤や残菜（食器に付着した汚れを残菜ともいう）で汚れた食器をすすぐために洗浄水を洗浄ノズル５５から噴射するすすぎ工程と、前記排水工程とが連続して４回繰り返されて、洗浄工程の運転を終了するものである。なお５８は、洗浄ポンプ５３・ヒータ５４等の運転を制御する制御装置である。
【０００５】
【発明が解決しようとする課題】
従来、食器洗浄機は洗浄、排水用２組のポンプを搭載することによる食器収納性の低さやコスト高、さらには残水の多さに起因するすすぎ性能の低さ等の課題を有していた。
【０００６】
上記課題を解決するために、我々は特開平９−１３１２９３号公報に記載されているように洗浄と排水を１個のモータで行い、洗浄機構を小型化して食器収納容積を拡大するとともに低コスト化を図り、洗浄性能の安定性や排水性能の向上を図ったものを提案している。
【０００７】
これらの構成における課題を図９に基づいて説明する。まず、洗浄中において残菜フィルタが著しく目詰まりした時、ポンプ６１は極端な吸水不足に陥り、洗浄吐出用である第１のインペラ６２はエアガミ状態となって吐出能力が低下する。この時、第１のインペラ６２と排水吐出用の第２のインペラ６３およびエアガミ防止用第３のインペラ６４との圧力バランスが崩れてしまい、排水経路６５内で一定値を保っていた洗浄水位が変動しつつも上昇する状態に陥る場合がある。そして最悪の場合、洗浄中に洗浄水が機外に排出するという課題があった。
【０００８】
また排水時には構成上ポンプ６１内の洗浄水が上から順に排水されていくため、最初に第１のケ−シング６６内の洗浄水がなくりエアガミ状態となるが、さらに排水が進むと第１のケーシング６６内の空気の一部を第３のインペラ６４が吸い込んでしまう。このため、早期に第２のインペラ６３がエアガミ状態となり、第２のインペラ６３の排水能力が低下して残水が多くなるという課題があった。
【０００９】
さらに一般的に縦型のポンプについての課題でもあるが、排水初期に必ず第１のケーシング６６がエアガミ状態になることによる過大な排水騒音が発生するという課題があった。
【００１０】
また第２のインペラ６３のモータへの取り付け部６７は、渦流インペラの特性上洗浄水の流れがないため残菜等の異物が堆積し易く、異物がインペラにかみ込むことによるポンプロックや残菜の堆積による異臭の発生などの課題があった。
【００１１】
よって本発明は以上のような従来の構成が有している課題を解決するもので、洗浄時の排水経路内の洗浄水位の安定を図ることを目的とする。
【００１２】
【課題を解決するための手段】
本発明の食器洗浄機は、洗浄水を加圧するポンプは、第１のインペラにより洗浄ノズルに洗浄水を吐出する第１のケーシングと、前記第１のケーシングの下方に設けられた渦流型の第２のインペラにより機外に洗浄水を排出する第２のケーシングと、前記第１のケーシングと第２のケーシングと洗浄槽とに連通し、かつ、前記第１のケーシングと第２のケーシングの間に設けられた洗浄水案内部と、前記渦流型の第２のインペラの前記洗浄水案内部側に設けた遠心型の第３のインペラとを備え、前記洗浄水案内部から前記第１のインペラまたは第３のインペラへの吸い込み口をそれぞれモータの回転軸の同心円上に設けるとともに、前記第２のケーシングに洗浄水案内部と連通する穴を設け、前記第３のインペラにより前記第２のケーシングに吐出した洗浄水の一部を前記洗浄水案内部へ戻すようにしたものである。
【００１３】
【発明の実施の形態】
本発明の請求項１に記載された発明は、洗浄槽と、食器を収納する食器かごと、洗浄水を噴射する洗浄ノズルと、モータの回転により洗浄水を加圧するポンプと、前記モータの正逆反転駆動を制御する制御手段とを有し、前記モータの回転軸を略鉛直方向に設けるとともに、前記ポンプは、第１のインペラにより洗浄ノズルに洗浄水を吐出する第１のケーシングと、前記第１のケーシングの下方に設けられた渦流型の第２のインペラにより機外に洗浄水を排出する第２のケーシングと、前記第１のケーシングと第２のケーシングと洗浄槽とに連通し、かつ、前記第１のケーシングと第２のケーシングの間に設けられた洗浄水案内部と、前記渦流型の第２のインペラの前記洗浄水案内部側に設けた遠心型の第３のインペラとを備え、前記洗浄水案内部から前記第１のインペラまたは第３のインペラへの吸い込み口をそれぞれモータの回転軸の同心円上に設けるとともに、前記第２のケーシングに洗浄水案内部と連通する穴を設け、前記第３のインペラにより前記第２のケーシングに吐出した洗浄水の一部を前記洗浄水案内部へ戻すようにしたことにより、第３のインペラより吐出した洗浄水の一部を再び洗浄水案内部へ、残りを第２のケーシングおよび排水経路内に吐出するように作用する。すなわち、ポンプ内に洗浄水の循環経路を設けることにより、第３のインペラの排水経路内からの空気の吸い込みを防ぐという働きを確保しつつ、洗浄中の残菜フィルタの目詰まりにより洗浄吐出用である第１のインペラがエアガミ状態となって吐出能力が低下し、第１のインペラと排水吐出用の第２のインペラおよびエアガミ防止用第３のインペラとの圧力バランスが崩れた場合においても、排水経路内への吐出能力を低減させて排水経路内の洗浄水が機外に排出されるのを防止することができ、洗浄時の排水経路内の洗浄水位の安定を図ることができる。
【００１４】
請求項２に記載された発明は、第２のインペラに形成した渦流型の羽根より内側に前記第３のインペラ側に連通する穴を設け、前記第２のインペラの中心部に洗浄水の流れを発生させるようにしたことにより、第２のインペラの略中心部に洗浄水の流れを発生させることができるとともに、ポンプ回転時における第１のインペラ側と第３のインペラ側の圧力差を軽減するように作用する。
【００１５】
よって異物の堆積による排水不良の低減やモータロックの回避、排水時における過多の空気のかき混ぜの減少による排水騒音の減少が図れる。
【００１６】
以下本発明の実施の形態について、図１から図７を用いて説明する。
【００１７】
（実施の形態１）
図１は縦型洗浄排水一体ポンプ搭載の食器洗浄機の断面図、図２は縦型洗浄排水一体ポンプの断面図である。１は洗浄槽、２は食器を収納する食器かごで洗浄槽１内に設けている。３は洗浄水を加圧するポンプ、４は洗浄水及び食器を加熱するヒータ、５は洗浄水を噴射する噴射口６を有する洗浄ノズルである。また７は残菜を分離するフィルター、８は洗浄ポンプ３・ヒータ４等を制御する制御装置である。
【００１８】
上記ポンプ３は、遠心型の第１のインペラ９によって洗浄ノズル５に洗浄水を吐出するための第１のケーシング１０と、渦流型の第２のインペラ１１により機外に洗浄水を排出するための第２のケーシング１２と、洗浄中に第２のケーシング１２内に洗浄水を吐出する第２のインペラ１１の裏面に配設された遠心型の第３のインペラ１３とを有する。また第１のケーシング１０と第２のケーシング１２と洗浄槽１の底部に設けられた導水路１４との３方向に連通した洗浄水案内部１５を両ケーシングの中間に有している。
【００１９】
１６は洗浄水案内部１５から第１のケーシング１０に連通した第１の吸込み口、１７は洗浄水案内部１５から第２のケーシング１２に連通した第２の吸込み口、１８は洗浄水案内部１５から第２のケーシング１２に連通した第３の吸込み口である。また、１９はポンプ３を駆動するモータで、２極誘導モータであり、モータ１９を駆動するコンデンサとモータ１９の主巻線及び補助巻線の接続を切り換えて正転逆転を行うものである。
【００２０】
また、第１のインペラ９と第２のインペラ１１および第３のインペラ１３はモータ１９の出力軸に装着されており、各インペラは同一方向に回転するものである。２１は洗浄水を機外に排出する排水経路である。２２は第２のインペラ１１のモータ１９への取り付け部である。さらに２３は洗浄水案内部内１５にあって第１のインペラ９と第２のインペラ１１の軸間に固定した略円盤上の抵抗体であり、外径は第３の吸い込み口１８の外径よりも大きく設定されている。なお、第１のインペラ９は遠心型でも渦流型でも、また他の方式のものでもよい。
【００２１】
以下本実施の形態の動作を説明する。まず、食器を食器かご２に収納し、洗浄槽１の所定の位置に装着して図示していないスイッチをオンしたとする。スイッチがオンされて運転を開始すると、制御装置８は先ず所定量の洗浄水を洗浄槽１に供給する給水工程を実行する。続いて、ポンプ３によって加圧した洗浄水を洗剤と共に洗浄ノズル５に設けた噴射口６ａ〜６ｆから噴射する本洗工程を実行する。所定時間の本洗工程を経ると、次に食器等から洗い落とされた汚れを含む洗浄水をポンプ３にて機外に排出する排水工程に入る。引き続き、新たに洗浄水を供給する給水工程と、洗剤や残菜で汚れた食器をすすぐために洗浄水を第１の洗浄手段から噴射するすすぎ工程と、排水工程とが連続し、これらを４回繰り返して洗浄工程が終了する。
【００２２】
上記ポンプ３の構成と洗浄工程での動作について詳細に述べる。洗浄槽１とポンプ３は、洗浄槽１の底部の導水路１４と接続された洗浄水案内部１５から第１の吸い込み口１６を経て第１のインペラ９へと連通し、第２の吸い込み口１７から第２のインペラ１１へと連通し、同時に第３の吸い込み口１８から第３のインペラ１３へと連通している。ここで第１のインペラ９および第３のインペラ１３は時計方向の回転時に、第２のインペラ１１は反時計方向の回転時にそれぞれ洗浄水を洗浄水案内部１５から吸い込んで吐出できる形状に設定してあり、それぞれ遠心ポンプ、渦流ポンプと呼ばれる構成をしている。なお、一般に渦流型のポンプは回転方向によって吐出と吸い込みの方向が切換可能なものである。
【００２３】
本洗工程やすすぎ工程ではモータ１９を時計方向に回転することで、洗浄水案内部１５の第１の吸い込み口１６から第１のインペラ９へと洗浄水が案内される。
【００２４】
ここで第１のインペラ９が有効に作用して、洗浄水を洗浄ノズル５に吐出して洗浄が行われる。一方、同回転方向では第２のインペラ１１は、まず排水経路２１の洗浄水を第２の吸い込み口１７から吐出するが、ここで第３のインペラ１３が第３の吸い込み口１８から洗浄水を第２のケーシング１２内に吐出するという働きにより、吐出された洗浄水の一部は第２の吸い込み口１７より洗浄水案内部１５へと戻され、また残りの洗浄水は排水経路２１内に留まることになる。従って、第２のケーシング１２はもちろんのこと、第１のケーシング１０にはその空気が入り込まず、安定して洗浄ノズル５に洗浄水を吐出できるものである。
【００２５】
また従来の構成では、洗浄時には第１のインペラ９の吸い込み方向に対して正反対の方向から第３のインペラ１３の吸い込み力が働くため、第１のインペラ９にとってはそれが吸い込み抵抗となり洗浄吐出圧の低下を招いていたが、抵抗体２３を第１の吸い込み口１６と第３の吸い込み口１８の間に設けたことにより、第３のインペラ１３による吸い込み力の影響を軽減することができる。よって、第１のインペラ９の吸い込み抵抗が低下し、洗浄吐出圧を高くすることができる。
【００２６】
なお排水経路２１内に留まる洗浄水の水位は、第３のインペラ１３の羽根外径や羽根高さ等の最適化により一定に保たれている。
【００２７】
また、排水工程ではモータ１９を正逆反転手段で反時計方向に回転することで、洗浄水案内部１５の第２の吸い込み口１７から第２のインペラ１１へと洗浄水が案内される。ここで第２のインペラ１１が有効に作用して、洗浄水を機外に排出する。この時従来の構成では、第１のケーシング１０内の空気を第３のインペラ１３が吸引してしまうため、早期に第２のケーシング１２内が空気の混入による性能低下に陥っていたが、本実施の形態では、抵抗体２３の作用により第１のケーシング内に溜った空気を第３のインペラ１３が吸引しにくくなるため、第２のケーシング１２内に空気が混入するタイミングを遅らせることができる。
【００２８】
つまり排水時、より長く排水能力を維持することができ、残水量を減少させることができる。さらに遠心形インペラである第３のインペラ１３は、洗浄工程時と同様に第３の吸い込み口１８から洗浄水を第２のケーシング１２内に吐出するため、排水性能の向上が図れる。
【００２９】
なおモータの回転方向については、どちらの回転方向を洗浄吐出用としても本発明の効果は同様に得られるものである。
【００３０】
以上述べたように、第１の実施の形態では特に第１のインペラと第２のインペラの間に略円盤状の抵抗体を配設したことにより、残水の減少によるすすぎ性能の向上、それにともなう節水化や洗浄性能や排水性能の向上を図った食器洗浄機を得ることができる。
【００３１】
（実施の形態２）
以下本発明の第２の実施の形態を説明する。図３は縦型洗浄排水一体ポンプの断面図、図４はポンプの横断面図を示すが、機構部品の基本構成については、図１に示した第１の実施の形態と同様であるため説明を省略する。
【００３２】
また、第２の実施の形態においては抵抗体２３は具備されず、第２のインペラ２５のディスク上で、かつ渦流羽根より内側の位置に第３のインペラ２６側に連通する穴２４を設けたことを構成の特徴とする点で特有の効果を有するものである。なお、第１のインペラ９は遠心形でも渦流形でも、また他の方式のものでもよい。
【００３３】
以下第２の実施の形態の動作について説明する。洗浄工程に関する基本的な動作は第１の実施の形態と同様であり、説明は省略する。従来洗浄工程において、従来洗浄水の流れがなく異物が溜りやすかった第２のインペラ２５のモータ１９への取り付け部２２は、第２のインペラ２５のディスクに設けられた第３のインペラ２６側に連通する穴２４によって洗浄水の流れが生じるため、異物の堆積を大幅に減少させることができる。
【００３４】
また従来構成においては、第３のインペラ２６により加圧、吐出した洗浄水は第２のケーシング１２内に吐出されるため、第２のインペラ２５によって加圧、吐出された洗浄水と激しくぶつかり合う。特に空気の混入した排水工程末期においては、洗浄水と空気が入り乱れて大変大きな騒音を発生していた。
【００３５】
ところが本実施の形態によれば、第２のインペラ２５と第３のインペラ２６の間に穴２４を設けることにより、両インペラの圧力差が小さくなり、排水騒音を大幅に減少させることができる。なお穴２４の数は、点対象の位置に複数個設ける方が第２のインペラ２５と第３のインペラ２６各部における圧力差の解消やインペラ自体の回転によるバランスを保つためにもよいと考えるが、数は１個でも設置位置が点対象位置でなくてもこの形態による効果は充分得られるものである。
【００３６】
さらに給水工程において、従来構成では第２のインペラ２５のモータ１９への取り付け部２２に溜った空気は抜けにくく、洗浄工程初期にはエアガミ音が発生するという問題があったが、本実施の形態では容易に空気はポンプ３外へ抜けていくため、洗浄工程初期の騒音が発生することはない。
【００３７】
以上のように、第２のインペラのディスク上で、かつ渦流羽根より内側の位置に第３のインペラ側に連通する穴を設けたことで、異物のポンプ内への堆積を防ぐとともに、洗浄工程初期や排水時の騒音を大幅に減少させた食器洗浄機を得ることができるものである。
【００３８】
（実施の形態３）
以下第３の実施の形態に付いて説明する。図５は縦型洗浄排水一体ポンプの断面図、図６はポンプの横断面図を示すが、機構部品の基本構成については、図１に示した第１の実施の形態と同様であり説明を省略する。また、第３の実施の形態においては抵抗体２３は具備されず、洗浄水案内部１５から第２のケーシング２８に連通する穴２７を新たに設けたことを構成の特徴とする点で特有の効果を有するものである。なお、第１のインペラ９は遠心形でも渦流形でも、また他の方式のものでもよい。
【００３９】
以下第３の実施の形態の動作について説明する。洗浄工程に関する基本的な動作は、前記第１の実施の形態と同様であり、説明は省略する。特に洗浄工程において、第３のインペラ１３は第２のケーシング２８及び排水経路２１内に洗浄水を吐出することにより、排水経路２１からの空気の吸い込みを防止するが、フィルタ４の目詰まりが激しい場合にポンプ３への吸込流量が供給不足となり、ポンプ３は排水経路２１内から洗浄水を引き込んでしまう。結果として、ポンプ３は非常に不安定な状態に陥り、機外に洗浄水を吐出してヒータ７の空焼き等が発生してしまう場合がある。
【００４０】
よってポンプ３が不安定な状態に陥っても機外に洗浄水が流れ出さないためには第３のインペラ１３の見かけの吐出能力を低下させることが必要である。そこで本発明の構成によれば、第３のインペラ１３より吐出した洗浄水の一部を穴２７によって再び洗浄水案内部１５に戻してやることができる。
【００４１】
すなわち、第２のケーシング２８内に洗浄水を吐出する能力を落とすことなく見かけの吐出能力を低減させることができる。よって洗浄工程における不安定状態においても洗浄水を機外へ排水させることなく、安定させることができる。なお穴２７の数は１個でも設置位置が点対象位置でなくても本発明による効果は充分得られるものである。
【００４２】
以上のように、洗浄水案内部から第２のケーシングに連通する穴を設けたことにより、特に洗浄時の排水経路内の洗浄水位の安定を図った食器洗浄機を提供することができるものである。
【００４３】
（実施の形態４）
以下第４の実施の形態に付いて説明する。図７は縦型洗浄排水一体ポンプの断面を示すが、機構部品の基本構成については、図１に示す第１の実施の形態と同様であり説明は省略する。
【００４４】
図７において、洗浄槽１からポンプ３に洗浄水を導く導水路２９は、第２のケーシング２８と洗浄水案内部１５との両方に連通するとともに、第２のインペラ２５の吸い込み口３０を第２のケーシング２８の側壁に設けている。２３は洗浄水案内部１５内にあって第１のインペラ９と第２のインペラ２５の軸間に固定した略円盤上の抵抗体であり、外径は第３の吸い込み口１８の外径よりも大きく設定されている。また第２のインペラ２５のディスク上で、かつ渦流羽根より内側の位置には、第３のインペラ２６側に連通する穴２４を設けている。また洗浄水案内部１５から第２のケーシング２８に連通する穴２７を設けている。なお、第１のインペラ９は遠心形でも渦流形でも、また他の方式のものでもよい。
【００４５】
以下第４の実施の形態の動作について説明する。洗浄工程に関する基本的な動作は、前記第１の実施の形態と同様であり、説明は省略する。
【００４６】
ここで本実施の形態はすでに述べた第１から３の実施の形態の作用をすべて有するが、これら構成をすべて合わせ持つことによって更にその効果は大きいものとなる。
【００４７】
つまり抵抗体２３と第２のケーシング２８上の穴２７の２つを具備することにより、第１のインペラ９の受ける吸水抵抗が大幅に減少するために、洗浄吐出圧が更に上昇し、洗浄性能が大幅に向上するものである。また第２のインペラ２５の吸い込み口３０を第２のケーシング２８の側壁に設け、かつ抵抗体２３を設ける構成とすることにより、排水時の残水が更に減少し、すすぎ性能の向上とそれにともなうさらなる節水化が図れるものである。
【００４８】
更に第２のインペラ２５上の穴２４および第２のケーシング２８上の穴２７を設けることにより、エアガミ状態になったときに空気の抜けが更によくなるため、ポンプ３がエアガミのない正常運転状態に復帰するまでの時間が更に短くなり、洗浄性能および排水性能の向上、信頼性の向上を図れるとともに排水騒音、洗浄騒音の大幅な低減が図れるものである。
【００４９】
なおポンプ３内の各所に穴２４、２７を設けたが、その直径は導水路２９内の最小面積部以上になるように設定されており、異物が引っかかったり、堆積したりなどという問題を生じることはない。
【００５０】
以上のように、本発明の実施の形態によれば洗浄、排水時におけるポンプの安定性、信頼性が高く、洗浄、排水性能、洗浄、排水騒音がともに大幅に低減できる食器洗浄器を得ることができるものである。
【００５１】
【発明の効果】
以上のように本発明の請求項１記載の発明によれば、洗浄槽と、食器を収納する食器かごと、洗浄水を噴射する洗浄ノズルと、モータの回転により洗浄水を加圧するポンプと、前記モータの正逆反転駆動を制御する制御手段とを有し、前記モータの回転軸を略鉛直方向に設けるとともに、前記ポンプは、第１のインペラにより洗浄ノズルに洗浄水を吐出する第１のケーシングと、前記第１のケーシングの下方に設けられた渦流型の第２のインペラにより機外に洗浄水を排出する第２のケーシングと、前記第１のケーシングと第２のケーシングと洗浄槽とに連通し、かつ、前記第１のケーシングと第２のケーシングの間に設けられた洗浄水案内部と、前記渦流型の第２のインペラの前記洗浄水案内部側に設けた遠心型の第３のインペラとを備え、前記洗浄水案内部から前記第１のインペラまたは第３のインペラへの吸い込み口をそれぞれモータの回転軸の同心円上に設けるとともに、前記第２のケーシングに洗浄水案内部と連通する穴を設け、前記第３のインペラにより前記第２のケーシングに吐出した洗浄水の一部を前記洗浄水案内部へ戻すようにしたから、洗浄時の排水経路内の洗浄水位の安定を図ることができる。
【００５２】
また、請求項２記載の発明によれば、第２のインペラに形成した渦流型の羽根より内側に前記第３のインペラ側に連通する穴を設け、前記第２のインペラの中心部に洗浄水の流れを発生させるようにしたから、排水インペラ内に異物が堆積することによる排水不良をなくし、排水騒音の低下を図ることができる。
【図面の簡単な説明】
【図１】本発明の第１〜４の実施の形態における食器洗浄機の構成図
【図２】本発明の第１の実施の形態におけるポンプの要部縦断面図
【図３】本発明の第２の実施の形態におけるポンプの要部縦断面図
【図４】同食器洗浄機のポンプの要部水平断面図
【図５】本発明の第３の実施の形態におけるポンプの要部縦断面図
【図６】同食器洗浄機のポンプの要部水平断面図
【図７】本発明の第４の実施の形態におけるポンプの要部縦断面図
【図８】従来の食器洗浄機の構成図
【図９】従来の食器洗浄機のポンプの要部縦断面図
【符号の説明】
１  洗浄槽
２  食器かご
３  ポンプ
４  ヒータ
５  洗浄ノズル
９  第１のインペラ
１０ 第１のケーシング
１１  第２のインペラ
１２ 第２のケーシング
１３  第３のインペラ
１５  洗浄水案内部
２４ 穴
２７ 穴
【図１】
0003601137.tif 000002
【図２】
0003601137.tif 000003
【図３】
0003601137.tif 000004
【図４】
0003601137.tif 000005
【図５】
0003601137.tif 000006
【図６】
0003601137.tif 000007
【図７】
0003601137.tif 000008
【図８】
0003601137.tif 000009
【図９】
0003601137.tif 000010